(57)【要約】【課題】ページ間の摩擦係数による影響を低減して、安定してページ捲りを行うことが可能なページ捲りユニットおよび記帳装置を提供すること。【解決手段】ページ捲りユニット５は、搬送路の一方の面側に位置して、冊子９の搬送方向Ｙと直交して設けられる回転軸５２と、回転軸５２と一体回転可能に設けられ、かつ、回転軸５２の軸方向に沿ってスライド可能に設けられたページ捲りローラ５１と、を有し、ページ捲りローラ５１を回転軸５２を中心として回転させて、ページ捲りローラ５１をページ９２（ｎ）の表面に当接させる。ページ９２（ｎ）の表面に当接させた状態でページ捲りローラ５１を回転軸５２に沿って内側へスライドさせることで、捲り対象のページ９２（ｎ）を捲る。【選択図】図１
2017019155.tif 000002
【特許請求の範囲】
【請求項１】
複数ページを綴じてなる冊子のページを捲るページ捲りユニットであって、
搬送ローラを用いて前記冊子を搬送路に沿って搬送する搬送機構により所定位置に搬送された前記冊子のページを捲るものであり、
前記搬送路の一方の面側に位置して、前記冊子の搬送方向と直交して設けられる回転軸と、
前記回転軸と一体回転可能に設けられ、かつ、前記回転軸の軸方向に沿ってスライド可能に設けられたページ捲りローラと、
を有しており、
前記ページ捲りローラを前記回転軸を中心として回転させて前記ページ捲りローラをページ表面に当接させ、ページ表面に当接させた状態で前記ページ捲りローラを前記回転軸に沿って内側へスライドさせることで、捲り対象のページを捲る、
ページ捲りユニット。
【請求項２】
前記ページ捲りローラを複数備えており、
前記各ページ捲りローラは、前記回転軸に軸方向に離間して設けられている、
請求項１に記載のページ捲りユニット。
【請求項３】
前記ページ捲りローラは、その基端側が前記回転軸に回転可能かつスライド可能に取り付けられ、その先端側にページ表面と当接する接触部とを有する偏心ローラとして構成されている、
請求項２に記載のページ捲りユニット。
【請求項４】
前記回転軸の回転力を、前記ページ捲りローラを前記回転軸に沿ってスライドさせるためのスライド方向の力に変換するためのスライド機構を備える、
請求項３に記載のページ捲りユニット。
【請求項５】
前記スライド機構は、
前記回転軸に設けられるカムと、
前記カムに対向して前記ページ捲りローラに設けられ、前記ページ捲りローラの回転に応じて前記カムに接触することで、前記回転軸に沿った方向へ前記ページ捲りローラをスライドさせるピンと、
前記ページ捲りローラを前記カム側に押圧するバネと、
を備えて構成されている、
請求項４に記載のページ捲りユニット。
【請求項６】
請求項１〜５のいずれかに記載のページ捲りユニットを備える記帳装置。
【請求項７】
複数ページを綴じてなる冊子のページを捲るページ捲りユニットであって、
搬送ローラを用いて前記冊子を搬送路に沿って搬送する搬送機構により所定位置に搬送された前記冊子のページを捲るものであり、
前記搬送路の一方の面側に位置して、前記冊子の搬送方向と直交する前記冊子の幅方向両側にそれぞれ設けられている捲り機構を備え、
前記捲り機構は、
前記冊子の幅方向外側から前記冊子の上方へ延設され、前記冊子の搬送方向に対して傾動可能に設けられる回転軸と、
前記回転軸と一体回転可能に設けられるページ捲りローラと、
を有しており、
前記冊子が所定位置に搬送されると、前記回転軸を所定角度傾動させて、前記ページ捲りローラを前記冊子のページ表面に当接させながら回転させることで、捲り対象のページを捲る、
ページ捲りユニット。
【請求項８】
請求項７に記載のページ捲りユニットを備える記帳装置。
【発明の詳細な説明】
【技術分野】
【０００１】
本発明は、ページ捲りユニットおよび記帳装置に関する。
【背景技術】
【０００２】
銀行などに設置される記帳装置では、ユーザの挿入した通帳に対して取引内容を自動的に記帳し、ユーザへ返却する。記帳装置は、複数ページへ記帳できるように、ページ捲りユニットを内蔵している。従来の冊子のページ捲り機構では、ページ捲りモータの動力を用いてページ捲りローラを回転させ、冊子紙面にページ捲りローラを接触させる。ページ捲りローラが冊子紙面に接触したときの摩擦力により紙面が捲れ上がり、ページを捲るようになっている。
【０００３】
しかし、この摩擦分離方式では、紙面の連続するページ間の摩擦係数の差に性能が大きく影響される。この場合、ページを２枚捲ってしまう２枚捲りや、ページを捲り上げることができないノンピックが発生して、ページ捲りに失敗することがある。これらの失敗を回避する方法として、冊子下部から圧接部材を押し付けることにより冊子を屈曲させ、捲り抵抗になる冊子の剛性を低下させたり、捲り速度を変化させてローラと紙面の衝突する瞬間の力を落としたりする等の方法が提案されている。(特許文献１参照)。
【先行技術文献】
【特許文献】
【０００４】
【特許文献１】特開２０１２−１４８４９９号公報
【発明の概要】
【発明が解決しようとする課題】
【０００５】
しかしながら、上述の特許文献に記載の従来技術を用いても、温湿度の変化により冊子間の摩擦係数や剛性が変化した場合には、ページを２枚捲ってしまう２枚捲りが発生してしまい、ページ捲り失敗を回避できない場合がある。
【０００６】
本発明は上述の課題に鑑みてなされたもので、その目的は、ページ間の摩擦係数による影響を低減して、安定してページ捲りを行うことが可能なページ捲りユニットおよび記帳装置の提供を目的とする。
【課題を解決するための手段】
【０００７】
上記課題を解決すべく、本発明に従うページ捲りユニットは、複数ページを綴じてなる冊子のページを捲るページ捲りユニットであって、搬送ローラを用いて冊子を搬送路に沿って搬送する搬送機構により所定位置に搬送された冊子のページを捲るものであり、搬送路の一方の面側に位置して、冊子の搬送方向と直交して設けられる回転軸と、回転軸と一体回転可能に設けられ、かつ、回転軸の軸方向に沿ってスライド可能に設けられたページ捲りローラと、を有しており、ページ捲りローラを回転軸を中心として回転させてページ捲りローラをページ表面に当接させ、ページ表面に当接させた状態でページ捲りローラを回転軸に沿って内側へスライドさせることで、捲り対象のページを捲る。
【発明の効果】
【０００８】
本発明によれば、ページ捲りローラをページ表面に当接させた状態で、ページ捲りローラを回転軸に沿って内側にスライドさせるため、ページの幅方向内側をたわませて下のページとの間に隙間を形成することができる。この隙間により、捲り対象のページとその下に続く他のページとの間の摩擦を低減することができ、捲り対象のページだけを捲ることができる。
【図面の簡単な説明】
【０００９】
【図１】記帳装置の主要部の構成を示すブロック図である。
【図２】記帳装置の内部構成を示す概略図である。
【図３】冊子の搬送方向におけるページ捲りユニットの断面図である。
【図４】搬送路上方からのページ捲りユニットの平面図である。
【図５】ページ捲りユニットの分解斜視図である。
【図６】ページ捲り動作の説明図である。
【図７】ページ捲りユニットによりページ中央部に山状のたわみ部が形成される様子を示す斜視図である。
【図８】図５に続くページ捲り動作の説明図である。
【図９】図８に続くページ捲り動作の説明図である。
【図１０】図９に続くページ捲り動作の説明図である。
【図１１】第２実施例のページ捲りユニットを搬送路上方から見た平面図である。
【図１２】第３実施例のページ捲りユニットを搬送路上方から見た平面図である。
【発明を実施するための形態】
【００１０】
以下、図面に基づいて、本発明の実施の形態を説明する。本実施形態のページ捲りユニット５は、後述のように、冊子９のページ９２を捲ってページ捲りを行うもので、モータの駆動力を用いて冊子９をページ捲りするページ捲りローラ５１と、ページ捲りローラ５１を搬送方向Ｙに直交する方向Ｘに移動させる機構（５３，５４）とを備え、ページ分離後に捲り方向を正すようになっている。
【００１１】
本実施形態によれば、搬送方向Ｙに直交する方向Ｘに配置される複数のページ捲りローラ５１を、冊子９のページ９２の幅方向中央部に移動させながら回転させることで、冊子９のページ紙面の中央部付近を山形状にたわませることができる。この山形状のたわみ部９３をここではセルと呼ぶ。そのセル９３による座屈抵抗により、２枚捲り現象の発生を抑制できる。
【００１２】
２枚捲り現象とは、冊子９の捲りたいページ９２（ｎ）に次のページ９２（ｎ＋１）が吸着してしまい、２枚一緒に捲れてしまう現象である。ここで、捲り対象ページ９２（ｎ）は、ページ捲りローラ５１と１．０に近い摩擦係数で拘束されているが、次のページ９２（ｎ＋１）は、捲りたいページ９２（ｎ）と０．４程度の摩擦係数でしか拘束されていない。従って、セル９３の発生による座屈抵抗で動かず、連続するページを分離することができる。
【００１３】
ページ間を分離した後は、内側にスライドしたページ捲りローラ５１を元の位置に戻して、対象ページ９２（ｎ）を捲り上げ、冊子９を搬送方向の逆向きに搬送する。これにより、対象のページ９２（ｎ）のみを１枚捲ることができる。従って、本実施形態によれば、ページ間の摩擦係数による影響を受けず、安定してページ捲りを行うことができ、ページ捲りユニット５の信頼性を高めることができる。
【実施例１】
【００１４】
図１〜図１０を用いて第１実施例を説明する。以下では、冊子９のページ捲りユニット５を、銀行等の金融機関に設置された取引端末等の記帳装置１に適用した場合について説明する。しかし、本発明は、複数ページ９２から成る冊子９のページを捲る機構を必要とする装置であれば適用することができ、金融機関の取引端末に限定されない。
【００１５】
図１は、記帳装置１の主要部の構成を示すブロック図である。図２は、記帳装置１の内部構成を示す概略図である。
【００１６】
記帳装置１は、例えば銀行等の金融機関が発行した冊子９（いわゆる通帳。図３参照）に、取引内容を記帳する装置である。記帳装置１は、制御ユニット２と、搬送ユニット３と、印字ユニット４と、ページ捲りユニット５と、磁気処理ユニット６と、通信ユニット７と、バーコード読取りユニット８と、を備えている。
【００１７】
制御ユニット２は、記帳装置１本体が備える各ユニット３，４，５，６，７，８の動作を制御する。搬送ユニット３は、図２に示す冊子挿入口３１に挿入された冊子９を、搬送路３２に沿って搬送する。冊子９は、図２におけるＹ方向に搬送される。冊子９のページの９２捲り方向は、搬送方向Ｙと同じである。
【００１８】
搬送ユニット３は、一対の搬送ローラ３３（３３ａ，３３ｂ）で冊子９を上下から挟持して搬送する。一対の搬送ローラ３３は、その一方が図示せぬ駆動源により回転駆動される駆動ローラ３３ａであり、他方が駆動ローラ３３ａの回転にともなって回転するプレッシャーローラ３３ｂである。一対の搬送ローラ３３は、搬送路３２に沿って複数配置されている。図２では、搬送路３２に沿って５個の搬送ローラ３３（１）〜３３（５）を配置する例を示す。
【００１９】
ここで、隣接する搬送ローラ３３の間隔は、冊子９の長さ寸法よりも短くなるように設定されている。従って、搬送路３２に沿って搬送される冊子９は、少なくともいずれか１つの搬送ローラ３３により上下方向（Ｚ方向）から挟持される。
【００２０】
搬送路３２は、搬送対象の冊子９にスキューやジャムが発生するのを防止して、安定した搬送を行うために、冊子の姿勢を保持するガイド（不図示）を有する。このガイドは、例えば、搬送路３２を走行する冊子９の下面を受ける下側ガイド板と、冊子９の上面を覆う上側ガイド板と、幅方向（Ｘ方向）の位置を規制する姿勢ガイド板とを含んで構成することができる。
【００２１】
印字ユニット４は、取引内容を冊子９に記帳するための装置であり、冊子９の搬送方向Ｙに対して直交する方向Ｘに移動する印字ヘッド（不図示）を有する。印字ユニット４は、制御ユニット２から受領した印刷データに基づいて印字ヘッドを駆動することで、取引内容を冊子９のページ９２へ印刷する。
【００２２】
ページ捲りユニット５は、「所定位置」としてのページ捲り位置に搬送されてきた冊子９のページ９２を捲る。ページ捲りユニット５の詳細については、後述する。
【００２３】
磁気処理ユニット６は、冊子挿入口３１に挿入された冊子９の背表紙に貼付されている磁気ストライプ（不図示）との間でデータを読み書きするための磁気ヘッド（不図示）を有する。磁気処理ユニット６は、冊子９の磁気ストライプに記録されている磁気データを読み出したり、冊子挿入口３１への排出時に磁気データを磁気ストライプに書き込んだりする。
【００２４】
通信ユニット７は、図外の上位装置との間における通信を制御し、冊子挿入口３１に挿入された冊子９に対して印字する取引の取引内容を取得する。具体的には、例えば、冊子９に未印字の取引内容のデータを上位装置から取得する。
【００２５】
バーコード読取りユニット８は、冊子挿入口３１に挿入された冊子９に印刷されたバーコードの読取りを行うバーコードリーダを有する。
【００２６】
ページ捲りユニット５について詳細に説明する。図３は、冊子９の搬送方向Ｙにおけるページ捲りユニット５の断面図である。図４は、搬送路３２の上方から見たページ捲りユニット５の平面図である。図３では、ページ捲り位置に位置する冊子９を示す。図４では、冊子９を省略している。
【００２７】
図３に示す右側の搬送ローラ３３ａ（４），３３ｂ（４）は、図２に示す印字ユニット４とページ捲りユニット５との間に位置する搬送ローラ３３（４）である。また、図３に示す左側の搬送ローラ３３ａ（５），３３ｂ（５）は、図２に示すページ捲りユニット５の左側に位置する搬送ローラ３３（５）である。     
【００２８】
ページ捲りユニット５は、ページ捲りローラ５１を備える。ページ捲りローラ５１は、ページ捲り位置に位置する冊子９の開かれているページ９２上に配置されている。以下、ページ捲りローラ５１を捲りローラ５１と略記する場合がある。
【００２９】
捲りローラ５１は、冊子９の搬送方向Ｙと直交する方向Ｘに離間して複数（例えば２つ）並べて設けられている。「回転軸」の一例であるシャフト５２は、搬送路３２の上方に位置して、搬送方向Ｙに直交する方向Ｘに設けられている。各捲りローラ５１は、シャフト５２の回転に応じて一体的に回転し、かつ、軸方向Ｏには所定範囲でスライドできるように、自由度を持たせている。なお、回転中心の軸線Ｏ−Ｏは、搬送方向Ｙに直交する方向Ｘと同一である。回転中心の軸線を軸線Ｘ−Ｘと表しても良い。
【００３０】
捲りローラ５１は、偏心ローラとして形成されている。捲りローラ５１は、その中心から外れた一方の位置にシャフト５２が取り付けられており、一方の位置とは中心を挟んで反対側に位置する他方の位置には高摩擦部材５１ａが形成されている。高摩擦部材５１ａは、例えば、ゴム等の弾性体から形成されており、比較的高い摩擦力でページ９２の表面と係合する。
【００３１】
シャフト５２には、図４および図５に示すように、各捲りローラ５１を軸方向から挟むようにして、カム５３とバネ５４とがそれぞれ取り付けられている。カム５３は、シャフト５２に対して回転しないように取り付けられている。カム５３は、円板状の基板５３１と、三角形状の凸部５３２とから構成される。
【００３２】
さらに、シャフト５２には、バネ５４の位置を固定するための固定板５５も取り付けられている。図４に示す例では、カム５３は、捲りローラ５１の軸方向外側に位置し、バネ５４は捲りローラ５１の軸方向内側（中央寄り）に位置する。しかし、後述の実施例で述べるように、カム５３等の配置は図４に示す例に限定されない。
【００３３】
図５の斜視図に示すように、捲りローラ５１の軸方向両端面のうちカム５３に対向する面には、ピン５６が設けられている。ピン５６は、シャフト５２の回転に伴って、捲りローラ５１と一緒にシャフト５２の回転する方向へ回動する。これに対し、カム５３は、シャフト５２が回転しても、回転しない。ピン５６は、捲りローラ５１が回転することで、回転しないカム５３の凸部５３２の斜面を登る。ピン５６がカム５３の凸部５３２の斜面に沿って昇ったり降ったりすることで、捲りローラ５１は軸方向にスライドする。スライド後は、ピン５６はカム５３の凸部５３２の斜面を降りて、バネ５４の付勢力で元の位置に戻る。
【００３４】
記帳装置１での記帳処理について説明する。ユーザは、記帳を開始するページ（この時点で、取引内容が最後に記帳されたページ）を開いて、冊子挿入口３１に挿入する。搬送ユニット３は、冊子挿入口３１に挿入された冊子９を搬送ローラ３３で上下から挟持し、印字位置へ搬送する。   
【００３５】
記帳装置１は、磁気処理ユニット６を用いて、搬送中の冊子９から口座番号等のデータを読み取る。即ち、磁気処理ユニット６は、印字位置へ向けて搬送中の冊子９の背表紙に貼付されている磁気ストライプから、口座番号等のデータを読み出して制御ユニット２へ送る。
【００３６】
記帳装置１は、磁気処理ユニット６で読み出した口座番号の口座について、記帳済でない（未記帳）の取引内容を上位装置から取得する。制御ユニット２が通信ユニット７を介して上位装置と通信することで、制御ユニット２は未記帳の取引内容を取得する。
【００３７】
記帳装置１は、印字位置に搬送されてきた冊子９に対し、印字ユニット４を用いて取引内容を記帳する。印字ユニット４は、ページ９２のうちの既に記帳済みの部分に続くようにして、上位装置から取得した取引内容を記帳する。
【００３８】
記帳装置１は、ページ９２の最終行に取引内容を記帳すると、取引内容の記帳を一時中断する。新たなページ９２に記帳するためである。そこで、記帳装置１は、搬送ユニット３により冊子９をページ捲り位置へ搬送する。このとき、ページ捲りユニット５は、図３に示す初期状態にある。
【００３９】
冊子９がページ捲り位置に到達すると、ページ捲りユニット５は、シャフト５２を回転させる。シャフト５２の回転にともなって捲りローラ５１が回転し、高摩擦部材５１ａが冊子９の開かれているページ９２に当接する（図６参照）。
【００４０】
捲りローラ５１のピン５６が、回転しないカム５３の傾斜を登ると、捲りローラ５１は冊子９の幅方向（Ｘ方向）に対して内向きにスライドする（図７参照）。図７に示すように、各捲りローラ５１がページ９２（ｎ）に当接して内向きにスライドしながら回転することにより、ページ９２（ｎ）の中央部９２ａ（ｎ）がその下のページ９２（ｎ＋１）から離れて盛り上がり、山形状の隙間であるセル９３が形成される。セル９３による座屈抵抗で、捲る対象のページ９２（ｎ）の次のページ９２（ｎ＋１）まで一緒に捲ることなく、分離させることができる。
【００４１】
図７以外の図面では、捲る対象のページ９２について符号９２（ｎ）を付していないが、以下では理解のために、捲る対象ページに符号９２（ｎ）を付けて説明する。
【００４２】
捲る対象ページ９２（ｎ）とそれに続く他のページ９２（ｎ＋１）とを分離した後、シャフト５２をさらに回転させると、ピン５６がカム５３の傾斜を降る。バネ５４の付勢力で、捲りローラ５１は元の位置に戻る。
【００４３】
さらに、捲りローラ５１は、シャフト５２の回転につれて回転することで、捲りローラ５１の高摩擦部材５１ａが当接しているページ９２（ｎ）に、ある程度の摩擦力を作用させながら、このページ９２（ｎ）を捲り上げる（図８参照）。
【００４４】
このように、冊子９のミシン目のある脊山９１に対し、搬送方向Ｙに直交する方向Ｘに離間して配置する複数の捲りローラ５１がやや中央方向に変位しながら捲ることで、対象ページ９２（ｎ）の略中央部９２ａ（ｎ）にセル９３を作ることができる。そして、そのセル９３による座屈抵抗で、ページ間の摩擦係数による影響を抑え、２枚捲りという現象の発生を抑制できる。従って、本実施例では、安定してページ捲りを行うことができる冊子ページ捲りユニット５を提供することができる。
【００４５】
記帳装置１は、ページ９２（ｎ）を捲り挙げた状態で、搬送ユニット３により冊子９を印字位置に戻す。冊子９を印字位置側へ搬送する際に、印字位置側の搬送ローラ３３ａ（４），３３ｂ（４）は、捲り上げたページ９２（ｎ）を挟持しない（図９参照）。
【００４６】
冊子９が印字位置へ搬送されて、背山９１がページ捲りローラ５１よりも印字位置側に達すると、捲り上げたページ９２（ｎ）が背山９１の反対側に倒れる（図１０参照）。従って、冊子９が印字位置に戻った際には、今回捲られたページ９２（ｎ）が開いていることになる。
【００４７】
記帳装置１は、ページを捲る前に印字ユニット４で中断していた取引内容の記帳を再開する。捲られたページ９２（ｎ）には、取引内容が記帳される。その後、再度、取引内容を記帳しているページの最終行まで取引内容を記帳した場合、上述したページ捲り動作を行う。
【００４８】
冊子９に対する取引内容の記帳が全て完了すると、搬送ユニット３は冊子９を冊子挿入口３１まで搬送し、ユーザへ返却する。
【００４９】
このように構成される本実施例によれば、ページ捲りローラ５１をページ表面に当接させた状態で、ページ捲りローラ５１をシャフト５２に沿って内側にスライドさせるため、ページ９の幅方向内側を山形状にたわませて、下のページとの間にセル９３を形成することができる。本実施例では、隙間９３により、捲り対象のページ９２（ｎ）とその下に続く他のページ９２（ｎ＋１）との間の摩擦を低減することができ、捲り対象のページ９２（ｎ）だけを捲ることができる。この結果、正確かつ安定したページ捲り動作を実現することができ、ページ捲りユニット５の信頼性を向上することができる。
【００５０】
本実施例では、ページ捲り時に、対象ページ９２（ｎ）の略中央部９２ａ（ｎ）にセル９３を形成し、その下のページ９２（ｎ＋１）との接触面積を低下させ、ページ９２（ｎ＋１）の自重で落下させる。
【００５１】
このように本実施例のページ捲りユニット５は、セル９３により、対象ページ９２（ｎ）に続く他のページ９２（ｎ＋１）を引き離すことができるため、捲りローラ５１を比較的強めに対象ページ９２（ｎ）の紙面に押し付けることができる。捲りローラ５１を対象ページ９２（ｎ）の紙面に比較的強く押圧できるため、捲りローラ５１の製造公差、取付時の公差などを比較的大きく設定できる。製造誤差や取付誤差などにより捲りローラ５１とページ９２（ｎ）の間の距離が多少離れたとしても、捲りローラ５１をページ９２（ｎ）に向けて押し込むことで接触させることができるためである。従って、本実施例によれば、捲りローラ５１やシャフト５２などの取付位置の自由度が大きく、ページ捲りユニット５の全体寸法の小型化を図ることができる。
【実施例２】
【００５２】
図１１を用いて第２実施例を説明する。本実施例を含む以下の各実施例は、第１実施例の変形例に該当する。そこで、第１実施例との相違を中心に説明する。
【００５３】
第１実施例のページ捲りユニット５では、カム５３が捲りローラ５１の外側に位置しているが、本実施例では、捲りローラ５１の内側にカム５３を配置する。このため、本実施例のページ捲りユニット５Ａは、捲りローラ５１の外側に位置してシャフト５２に、バネ５４とバネ固定板５５をこの順に配置する。さらに、ページ捲りユニット５Ａでは、カム５３を捲りローラ５１の内側に取り付ける。
【００５４】
本実施例のページ捲りユニット５Ａは、カム５３を回転させることで、捲りローラ５１を冊子９に対して内向きにスライドさせるように構成している。このように構成される本実施例も第１実施例と同様の作用効果を奏する。
【実施例３】
【００５５】
図１２を用いて第３実施例を説明する。本実施例では、冊子９の幅方向両側に、それぞれ独立して動作可能な捲りローラ５１等を配置し、それら複数の捲りローラ５１を同期させて動作させる。
【００５６】
第１実施例では、搬送方向Ｙに直交する方向Ｘに沿って一本のシャフト５２を設ける構成であったが、本実施例では、図１２の平面図に示すように、冊子９の幅方向Ｘ（搬送方向Ｙに直交する方向）にそれぞれ捲りローラ５１を配置する。
【００５７】
各捲りローラ５１は、シャフト５８の先端側にシャフト５８と一体回転するように取り付けられている。シャフト５８の基端側は、ソレノイドアクチュエータ５７のロッド５７１の先端側に取り付けられている。シャフト５８の略中央部には、支点５９が設けられている。幅方向両側に位置する捲りローラ５１やソレノイドアクチュエータ５７およびシャフト５８などからなる機構が「捲り機構」に該当する。
【００５８】
ソレノイドアクチュエータ５７へ通電したり、通電を停止したりすることで、ロッド５７１は伸縮する。ソレノイドアクチュエータ５７のロッド５７１が伸縮すると、この伸縮動作につれてシャフト５８は、支点５９を中心に所定角度回動する。これにより、捲りローラ５１は冊子９の脊山９１に対して（対象ページ９２の幅方向に対して）、斜めに位置し、シャフト５８の回転につれて一緒に回転する。
【００５９】
本実施例のページ捲りユニット５Ｂでは、第１実施例で述べたカム５３、バネ５４、バネ固定板５５は不要である。本実施例のページ捲りユニット５Ｂは、上述のように、ソレノイドアクチュエータ５７によりシャフト５８を動かすことで、捲りローラ５１を内向き姿勢にさせることができるためである。
【００６０】
このように構成される本実施例も第１実施例と同様の作用効果を奏する。本実施例では、独立動作可能な捲りローラ５１を幅方向両側に離間して配置し、ソレノイドアクチュエータ５７の伸縮で駆動するため、各捲りローラ５１の姿勢を状況に応じて調整することができる。例えば、ソレノイドアクチュエータ５７の伸縮タイミングを制御したり、ロッド５７１の伸縮量を変えたりすることで、各捲りローラ５１の姿勢を制御できる。
【００６１】
従って例えば、通常時などでは、一方の捲りローラ５１の姿勢と他方の捲りローラ５１の姿勢とが対称になるように制御することができる。また例えば、温度や湿度の変化、紙質の相違、冊子９の経年劣化の度合などに応じて、一方の捲りローラ５１と他方の捲りローラ５１の姿勢を違えるように制御することもできる。
【００６２】
なお、本発明は、上述した実施形態に限定されない。当業者であれば、本発明の範囲内で、種々の追加や変更等を行うことができる。例えば、ページ捲りユニットは、現金自動預け払い機（ＡＴＭ）や通帳プリンタ等に組み込んで使用することもできる。
【符号の説明】
【００６３】
１：記帳装置、２：制御ユニット、３：搬送ユニット、４：印字ユニット、５，５Ａ，５Ｂ：ページ捲りユニット、６：磁気処理ユニット、７：通信ユニット、８：バーコード読取りユニット、９：冊子、３１：冊子挿入口、３２：搬送路、３３，３３ａ，３３ｂ：搬送ローラ、５１：ページ捲りローラ、５２：シャフト、５３；カム、５４：バネ、５５：バネ固定板、５６：ピン、５７：ソレノイドアクチュエータ、５８：シャフト、５９：支点、９１：冊子の脊山、９２：ページ、９３：セル
【図１】
2017019155.tif 000003
【図２】
2017019155.tif 000004
【図３】
2017019155.tif 000005
【図４】
2017019155.tif 000006
【図５】
2017019155.tif 000007
【図６】
2017019155.tif 000008
【図７】
2017019155.tif 000009
【図８】
2017019155.tif 000010
【図９】
2017019155.tif 000011
【図１０】
2017019155.tif 000012
【図１１】
2017019155.tif 000013
【図１２】
2017019155.tif 000014